(57)【要約】【課題】不特定多数の利用者が利用する公共の電子機器を利用者が使用する際の利便性を大幅に向上させる。【解決手段】本発明のモバイル端末装置１２は、所定の周波数帯の無線信号を使用して通信を行う、固有の識別子を有する本体部３２と、カード発行手続きの時に、本体部３２の固有の識別子および利用者により選択されたサービス範囲に対応する情報を記憶する非接触ＩＣカードモジュール部２２とを備えている。また、本発明のＩＣカードシステム１０は、本発明のモバイル端末装置１２と、モバイル端末装置１２の非接触ＩＣカードモジュール部２２に対して情報の送受信を行うリーダライタ部３０を有するサービス提供端末１６と、サービス提供端末１６を介して、モバイル端末装置１２に対しカード発行手続きを行うカード発行サーバ２４とを備えている。【選択図】　図１
2004133844.tif 000002
【特許請求の範囲】
【請求項１】
固有の識別子を有し、所定の周波数帯の無線信号を使用して通信を行う本体部と；
カード発行手続きの時に、前記本体部の固有の識別子および利用者により選択されたサービス範囲の情報を記憶する非接触ＩＣカードモジュール部と；を備えるモバイル端末装置。
【請求項２】
前記非接触ＩＣカードモジュール部は、前記本体部から電源の提供を受ける、ことを特徴とする請求項１に記載のモバイル端末装置。
【請求項３】
前記本体部は、前記利用者が各種情報を入力するための入力部を備え、
前記非接触ＩＣカードモジュール部は、前記利用者により前記入力部から入力された、前記サービス範囲に関する詳細パラメータを更に記憶する、ことを特徴とする請求項１又は２に記載のモバイル端末装置。
【請求項４】
請求項１〜３のいずれか一項に記載のモバイル端末装置の非接触ＩＣカードモジュール部からの情報の受信及び前記非接触ＩＣカードモジュール部への情報の送信を行うリーダライタ部と；
前記リーダライタ部で受信したサービス範囲に関連する情報に基づいて、表示制御を行う表示制御部と；を備えるサービス提供端末。
【請求項５】
請求項１〜３のいずれか一項に記載のモバイル端末装置と；
前記モバイル端末装置の非接触ＩＣカードモジュール部からの情報の受信及び前記非接触ＩＣカードモジュール部への情報の送信を行うリーダライタ部を有するサービス提供端末と；
前記サービス提供端末を介して、前記モバイル端末装置に対しカード発行手続きを行うカード発行サーバと；を備えるＩＣカードシステム。
【請求項６】
前記カード発行サーバは、前記モバイル端末装置の非接触ＩＣカードモジュール部へのカード発行手続きの時に、前記モバイル端末装置の固有の識別子を記憶する端末対応テーブルを備える請求項５に記載のＩＣカードシステム。
【発明の詳細な説明】
【０００１】
【発明の属する技術分野】
本発明は、通常の非接触ＩＣカードとして機能する非接触ＩＣカードモジュール部を内蔵したモバイル端末装置、及びこのモバイル端末装置を利用したＩＣカードシステムに関するものである。
【０００２】
【従来の技術】
近年、個人が自宅以外で特定のサービスを受けるために携帯する様々なデバイスが急速に普及している。その一つとして、通信手段と使用される、例えば携帯電話、ＰＨＳ（Ｐｅｒｓｏｎａｌ　Ｐｈｏｎｅ　Ｓｙｓｔｅｍ　）、ＰＤＡ（Ｐｅｒｓｏｎａｌ　Ｄｉｇｉｔａｌ　Ａｓｓｉｓｔａｎｔ）等のモバイル端末装置がある。また、多様な種類のサービスを提供するＩＣカードシステムが実用化されており、そのシステムによるサービスを受けるための認証や、サービス料金の支払いに用いられるＩＣカードの携帯もいまや必須となりつつある。
【０００３】
また、他の一つとして、認証やサービス料金の支払い等に使用されるＩＣカードがある。最近では、多様な種類のサービスを提供するＩＣカードシステムが実用化されており、そのシステムによるサービスを受けるためにＩＣカードの携帯は必須となりつつある。
【０００４】
【発明が解決しようとする課題】
将来的に、大部分の電子機器は、ＩＣカードシステムを利用して、サービス提供者から通信回線を介して情報の提供を受ける機能や、商品の購入ないしはレンタルを行う機能等を備える可能性が高いと考えられる。その際に、顧客の認証や操作性に関する重要性はますます高くなる。
【０００５】
しかしながら、将来的に普及する可能性が高い、不特定多数の利用者が使用する公共の電子機器について考えてみると、課金対象者の認証問題、また、顧客が入力する情報量が大量となることが予想される。このため、不特定多数の利用者が使用する公共の電子機器における操作性が低下するなどして、その電子機器を利用者が使用する際の利便性が低下することが懸念されている。
【０００６】
本発明は、不特定多数の利用者が利用する公共の電子機器を利用者が使用する際の利便性を大幅に向上させることができるモバイル端末装置、サービス提供端末及びＩＣカードシステムを提供することを目的とする。
【０００７】
【課題を解決するための手段】
本発明のモバイル端末装置は、固有の識別子を有し、所定の周波数帯の無線信号を使用して通信を行う本体部と；カード発行手続きの時に、前記本体部の固有の識別子および利用者により選択されたサービス範囲に対応する情報を記憶する非接触ＩＣカードモジュール部と；を備えるものである。
【０００８】
このモバイル端末装置では、モバイル端末装置本来の機能に加えて、非接触ＩＣカードの機能を備えている。このように、両者の機能を組み合わせることによって、非接触ＩＣカードの機能を使用したサービスを利用する場合や、利用したサービスの代金を支払う場合に、モバイル端末装置の有する固有の識別子を使用して、利用者を確実に認証することができるし、ＩＣカードの機能により、情報の機密性を確保することができる。
【０００９】
また、本発明のモバイル端末装置では、前記非接触ＩＣカードモジュール部は、前記本体部から電源の提供を受ける構成とすることができる。
【００１０】
また、本発明のモバイル端末装置では、前記本体部を前記利用者が各種情報を入力するための入力部を備える構成とするとともに、前記非接触ＩＣカードモジュール部が、前記利用者により前記入力部から入力された、前記サービス範囲に関する詳細パラメータを更に記憶することとすることができる。
【００１１】
本発明のサービス提供端末は、本発明のモバイル端末装置の非接触ＩＣカードモジュール部からの情報の受信及び前記非接触ＩＣカードモジュール部への情報の送信を行うリーダライタ部と；前記リーダライタ部で受信したサービス範囲に関連する情報に基づいて、表示制御を行う表示制御部と；を備えるサービス提供端末である。
【００１２】
本発明のＩＣカードシステムは、本発明のモバイル端末装置と；前記モバイル端末装置の非接触ＩＣカードモジュール部からの情報の受信及び前記非接触ＩＣカードモジュール部への情報の送信を行うリーダライタ部を有するサービス提供端末と；前記サービス提供端末を介して、前記モバイル端末装置に対しカード発行手続きを行うカード発行サーバと；を備えるものである。
【００１３】
このＩＣカードシステムでは、モバイル端末装置が有する固有の識別子を使用して利用者の認証が行われる。また、モバイル端末装置に設定された、利用者が選択したサービス範囲に関する詳細パラメータを使用して、不特定多数の利用者が利用する電子機器における情報の入力方法や表示方法を利用者毎にカスタマイズすることができる。これにより、利用者がサービス提供端末を使用する時の利便性を大幅に向上させることができる。
【００１４】
本発明のＩＣカードシステムでは、前記カード発行サーバは、前記モバイル端末装置の非接触ＩＣカードモジュール部へのカード発行手続きの時に、前記モバイル端末装置の固有の識別子を記憶する端末対応テーブルを備える構成とすることができる。
【００１５】
【発明の実施の形態】
以下、本発明の一実施形態を、添付の図１〜図４を参照しつつ説明する。
【００１６】
図１は、本発明の一実施形態に係るＩＣカードシステム１０の構成概念図である。このＩＣカードシステム１０は、図１に示されるように、例えば定期券やプリペイドカード等のＩＣカードを利用したシステムであり、モバイル端末装置１２と、カード発行サーバ１４と、サービス提供端末１６とを備えている。カード発行サーバ１４は、例えば公衆回線や専用線等の情報通信回線１８を介して、それぞれサービス提供端末１６および複数のサービス提供者２０と相互に接続されている。
【００１７】
モバイル端末装置１２は、携帯電話、ＰＨＳ、ＰＤＡ等のように、加入者ＩＤ等の固有の識別子を有し、所定の周波数帯の無線信号を使用して通信を行う移動体通信端末であり、非接触ＩＣカードとして機能する非接触ＩＣカードモジュール部２２を備えている。このモバイル端末装置１２では、非接触ＩＣカードモジュール部２２が、モバイル端末装置１２本来の機能を実現する本体部３２と電気的に直接、あるいはコネクタ等を介して接続され、一体型に構成されている。
【００１８】
非接触ＩＣカードモジュール部２２には、カード発行手続きの時に、モバイル端末装置１２の固有の識別子および後述するサービス範囲の情報等が記憶される。ＩＣカードシステム１０では、非接触ＩＣカードモジュール部２２が従来公知の非接触ＩＣカードと同等に使用される。また、非接触ＩＣカードモジュール部２２に記憶された固有の識別子を使用して、ＩＣカードシステム１０を利用する場合の認証が行われる。
【００１９】
続いて、カード発行サーバ１４は、サービス提供端末１６を介して、モバイル端末装置１２に対しカード発行手続きの処理、サービス提供者２０が提供するシステムとの接続処理や課金処理、およびＩＣカードシステム１０全体の管理等を行う。カード発行サーバ１４は、端末対応テーブル２４を備えている。この端末対応テーブル２４には、カード発行手続きの時に、各モバイル端末装置１２が有する固有の識別子が記憶される。
【００２０】
サービス提供端末１６は、利用者がＩＣカードシステム１０を利用することができるように、カード発行サーバ１４の管理下において、モバイル端末装置１２の備える非接触ＩＣカードモジュール部２２に対し、利用者が選択したサービス範囲に対応する情報のリードおよびライトの処理を行う。また、サービス提供端末１６は、カード発行処理が終了したモバイル端末装置１２を用いた、サービス範囲に対応したサービスを利用者に対し提供する。
【００２１】
サービス提供端末１６は、利用者が各種の情報を入力するための入力部２６と、各種情報の表示部２８と、モバイル端末装置１２の非接触ＩＣカードモジュール部２２からの情報の受信及び非接触ＩＣカードモジュール部２２への情報の送信を行うリーダライタ部３０とを備えている。リーダライタ部３０は、サービス提供端末１６の本体部と電気的に直接、あるいはコネクタ等を介して接続され、サービス提供端末１６と一体型に構成されている。
【００２２】
ここで、サービス提供端末１６は、例えばゲーム機、街角端末、自販機、電話機等のように、任意の利用者が利用可能な公共の電子機器である。また、サービス範囲は、利用者が利用しようとするサービスを提供するサービス提供者２０、サービス内容等を含む情報である。利用者が選択したサービス範囲に対応する情報は、サービス提供者２０が提供するサービスに対応する価値（電子マネー等）やアプリケーション等を含む。これらの情報はデジタル化されて利用される。
【００２３】
次に、モバイル端末装置の一例を挙げて説明する。
【００２４】
図２及び図３は、モバイル端末装置１２の内部構成を表すブロック図である。ここで、図２においては、非接触ＩＣカードモジュール部２２以外の本体部３２の内部構成が示され、図３においては、非接触ＩＣカードモジュール部２２の内部構成が示されている。
【００２５】
本体部３２は、図２に示されるように、情報の送受信を行う通信部３６と、モバイル端末装置１２全体の制御および管理を行う制御部３８と、情報を入力するための各種の入力キーを有する入力部４０と、各種情報を表示する表示部４２と、非接触ＩＣカードモジュール部２２が接続されるＩＣカードモジュール接続部４４とを備えている。
【００２６】
通信部３６は、通信用の電波を送受信するためのアンテナ４６と、受信された電波を復調する受信部４８と、復調された受信信号に対し各種の処理を行う受信信号処理回路５０と、受信信号を音声信号に変換する受話器５２と、音声信号を送信信号に変換する送話器５４と、送信信号に対し各種の処理を行う送信信号処理回路５６と、処理された後の送信信号を変調する送信部５８とを備えている。
【００２７】
ここで、アンテナ４６は受信部４８および送信部５８の両方に共通に接続されている。受信部４８の出力は、受信信号処理回路５０を介して受話器５２に入力されている。また、送話器５４の出力は、送信信号処理回路５６を介して送信部５８に入力されている。
【００２８】
制御部３８は、モバイル端末装置１２全体の制御を行う主ＣＰＵ（中央処理装置）６０と、制御プログラム等を記憶したＲＯＭ（読み出し専用メモリ）６２と、ワークエリアとして使用されるＲＡＭ（ランダムアクセスメモリ）６４と、サービス範囲に関する詳細パラメータ等を格納するＥＥＰＲＯＭ（電気的消去書き込み可能型ＲＯＭ）６６と、入力部４０からの情報入力、表示部４２への情報表示および非接触ＩＣカードモジュール部２２との間の処理を制御する操作部ＣＰＵ６８とを備えている。
【００２９】
ここで、制御部３８の各構成要素は、それぞれバス７０と相互に接続されている。また、入力部４２の出力は操作部ＣＰＵ６８に入力され、操作部ＣＰＵ６８の出力は表示部４２に入力されている。ＩＣカードモジュール接続部４４と操作部ＣＰＵ６８は相互に接続されている。また、通信部３６もバス７０と相互に接続されている。
【００３０】
本体部３２では、制御部３８の制御の下で、基地局から送信された信号は通信部３６のアンテナ４６で受信され、受信部４８で復調される。復調後の信号は受信信号処理回路５０で処理された後、受話器５２により音声信号に変換されて再生される。一方、音声信号は送話器５４により送信信号に変換され、送信信号処理回路５６で処理された後、送信部５８で変調される。変調後の信号はアンテナ４６を介して基地局へ送信される。
【００３１】
一方、非接触ＩＣカードモジュール部２２は、図３に示されるように、サービス提供端末１６との間で情報の送受信を行う通信部７２と、非接触ＩＣカードモジュール部２２全体の制御および管理を行う制御部７４と、この非接触ＩＣカードモジュール部２２を本体部３２に接続するための移動体通信端末接続部７６とを備えている。
【００３２】
通信部７２は、サービス提供端末１６が発生する磁界の変化を検出（受信）すると共に、このモバイル端末装置１２からサービス提供端末１６への送信信号に応じた磁界を発生（送信）するアンテナ７８と、検出された磁界の変化に対応した受信信号を復調する受信部８０と、復調された受信信号に対し各種の処理を行う受信信号処理回路８２と、送信信号に対し各種の処理を行う送信信号処理回路８４と、処理された後の送信信号を変調する送信部８６とを備えている。
【００３３】
また、受信部８０は、磁界の変化に対応した受信信号を発生する受信磁界処理回路８８と、受信信号を復調する復調回路９０とを備えている。一方、送信部８６は、送信信号を変調する変調回路９２と、変調された後の送信信号に対応した磁界を発生する送信磁界処理回路９４とを備えている。
【００３４】
ここで、アンテナ７８は受信部８０および送信部８６の両方に共通に接続されている。また、受信部８０の出力は、受信信号処理回路８２に入力されている。また、送信信号処理回路８４の出力は、送信部８６に入力されている。
【００３５】
続いて、制御部７４は、非接触ＩＣカードモジュール部２２全体の制御を行う主ＣＰＵ９６と、制御プログラム等を記憶したＲＯＭ９８と、ワークエリアとして使用されるＲＡＭ１００と、加入者ＩＤやサービス範囲等の情報を格納するＥＥＰＲＯＭ１０２とを備えている。
【００３６】
ここで、制御部７４の各構成要素は、それぞれバス１０４と相互に接続されている。また、移動体通信端末接続部７６および通信部７２もそれぞれバス１０４と相互に接続されている。
【００３７】
非接触ＩＣカードモジュール部２２では、制御部７４の制御の下で、通信部７２のアンテナ７８で検出された磁界の変化が受信部８０の受信磁界処理回路８８で受信信号に変換され、復調回路９０で復調される。復調後の信号は受信信号処理回路８２で処理される。一方、送信信号は送信信号処理回路８４で処理された後、送信部８６の変調回路９２で変調され、送信磁界処理回路９４で処理される。そして、アンテナ７８により、処理後の信号に応じた磁界が発生される。
【００３８】
図２及び図３に示されるモバイル端末装置１２において、図２に示される本体部３２と図３に示される非接触ＩＣカードモジュール部２２とは、本体部３２のＩＣカードモジュール接続部４４と非接触ＩＣカードモジュール部２２の移動体通信端末接続部７６とを接続することによって、物理的、かつ電気的に接続される。本体部３２と非接触ＩＣカードモジュール部２２とは一体型に構成されており、非接触ＩＣカードモジュール部２２は、本体部３２から着脱できないように本体部３２に固定されている。
【００３９】
次に、本実施形態のＩＣカードシステム１０の動作を説明する。
【００４０】
モバイル端末装置１２に内蔵されている非接触ＩＣカードモジュール部２２を通常の非接触ＩＣカードとして使用するためには、カード発行機関において、身分証明書等による本人確認の上、ＩＣカードの発行手続きを行う。
【００４１】
ＩＣカードの発行手続きは、サービス提供端末１６を使用して行われる。利用者は、サービス提供端末１６との通信可能範囲内にモバイル端末装置１２を設置し、サービス提供端末１６の入力部２６を使用して、モバイル端末装置１６の加入者ＩＤと、サービス提供者２０や利用しようとするサービス内容等を指定するサービス範囲の情報を入力する。この情報は、サービス提供端末１６から通信回線１８を介してカード発行サーバ１４へ送信される。
【００４２】
カード発行サーバ１４では、加入者ＩＤが端末対応テーブル２４に記憶される。この加入者ＩＤは、カード発行手続きが終了した後、利用者が、モバイル端末装置１２の非接触ＩＣカードモジュール部２２を通常の非接触ＩＣカードとして使用したサービスの提供を受ける場合に、利用者を認証する時に使用される。また、カード発行サーバ１４では、サービス範囲の情報に基づいて、サービス提供者２０との接続処理が行われる。
【００４３】
これに応じて、サービス提供者２０から、利用者が選択したサービス範囲に対応した情報が、通信回線１８を介し、カード発行サーバ１４を経由してサービス提供端末１６へ送信される。
【００４４】
サービス提供端末１６では、リーダライタ部３０により、入力部２６から入力された加入者ＩＤと共に、サービス提供者２０から送信された、サービス範囲に対応した情報がモバイル端末装置１２の非接触ＩＣカードモジュール部２２に記憶される。この情報は、リーダライタ部３０によってのみリードライトが可能であり、モバイル端末装置１２の入力部から内容を書き換えることはできない。これにより、利用者は、非接触ＩＣカードモジュール部２２を、従来公知の非接触ＩＣカードとして使用したサービスを利用することができるようになる。
【００４５】
また、利用者は、モバイル端末装置１６の入力部２６を使用して、モバイル端末装置１２の非接触ＩＣカードモジュール部に２２記憶されたサービス範囲に関する詳細パラメータを設定することができる。この詳細パラメータは、利用者がサービス提供端末１６を利用する際の、表示部２８のサイズや表示方法、入力部２６の各キーの割り当て、例えばホームページアドレス等の各種情報の表示等を指定するための制御データであり、非接触ＩＣカードモジュール部２２のＥＥＰＲＯＭ１０２内に格納される。
【００４６】
モバイル端末装置１２の非接触ＩＣカードモジュール部２２を通常の非接触ＩＣカードとして使用したサービスの提供を受ける場合、カード発行手続きの場合と同様に、利用者は、サービス提供端末１６との通信可能範囲内にモバイル端末装置１２を設置する。
【００４７】
通常の非接触ＩＣカードは、サービス端末装置１６のリーダライタ部３０が発生する磁界を電力に変換して動作する。モバイル端末装置１２の非接触ＩＣカードモジュール部２２は、モバイル端末装置１２の本体部３２から直接電力の供給を受けることができる。このため、モバイル端末装置１２とサービス提供端末１６との間の距離が離れても電力が減少することはなく、モバイル端末装置１２とサービス提供端末１６とが通信可能な範囲（距離）を従来よりも長くすることができる。
【００４８】
サービス提供端末１６では、モバイル端末装置１２の非接触ＩＣカードモジュール部２２が発生する磁界の変化を検出して、サービス提供端末１６の通信可能範囲内にモバイル端末装置１２が設置されたかどうかが常時監視されている。かかる常時監視は、サービス提供端末１６の処理が示される図４のフローチャートのステップＳ２１において、サービス提供端末１６が、サービス提供端末１６の通信可能範囲内にモバイル端末装置１２が設置されたか否かを判定し、否定的な判定がなされたときには、ステップＳ２１の処理を再度行うことにより行われる。そして、サービス提供端末１６の通信可能範囲内にモバイル端末装置１２が設置され、ステップＳ２１に肯定的な判定がなされると、モバイル端末装置１２の処理がステップＳ２２へ移行する。
【００４９】
こうして、ステップＳ２１において、サービス提供端末１６によってモバイル端末装置１２の存在が検出されると、ステップＳ２２において、モバイル端末装置１２とサービス提供端末１６との間で通信が行われる。この時、モバイル端末装置１２からサービス提供端末１６に対して、モバイル端末装置１２に記憶された加入者ＩＤ、利用者が選択したサービス範囲、このサービス範囲に関する詳細パラメータ等の情報が送信され、サービス提供端末１６はそれらの情報を受信する。
【００５０】
引き続き、サービス提供端末１６は、ステップＳ２３において、モバイル端末装置１２から受信した情報をカード発行サーバ１４へ通信回線１８を介して送信する。こうしてサービス提供端末１６からの情報を受信したカード発行サーバ１４では、端末対応テーブル２４に記憶された加入者ＩＤに基づいて、サービス提供端末１６から送信された加入者ＩＤが比較照合される。この時、サービス提供端末１６から送信された加入者ＩＤと同じ加入者ＩＤが端末対応テーブル２４に記憶されている場合に限り利用者が認証される。
【００５１】
利用者が認証されると、サービス提供端末１６の表示部２８に、詳細パラメータに従って、利用者が選択したサービス範囲に対応したメニュー画面が表示され、入力部２６の各種キーの割り当てが行われる。これにより、利用者がサービス提供端末１６を利用する際の利便性を大幅に向上させることができる。例えば、利用者に視力や聴力障害がある場合であっても、画面表示や音声認識を適宜組み合わせることにより、利用者にとって快適な環境を提供することができる。
【００５２】
次に、ステップＳ２４において、サービス提供端末１６が、入力部２６からの入力があったか否かが判定される。入力部２６からの入力があり、ステップＳ２４において肯定的な判定がされると、処理はステップＳ２５へ移行する。一方、入力部２６からの入力がなく、ステップＳ２４において否定的な判定がされると、再度ステップＳ２４の処理が行われる。なお、所定の一定時間を経過しても入力がない場合には、異常が発生したものとして終了し、以後の処理は行われないこととすることができる。
【００５３】
利用者は、サービス提供端末１６の表示部２８に表示されたメニュー画面を見て、サービス提供端末１６の入力部２６から希望するサービスを選択して利用する。利用者から入力が行われると、ステップＳ２５において、利用者の入力に対応するサービスが、サービス提供者２０からカード発行サーバ１４を介して提供される。これに応じて、サービス提供端末１６の表示部２８には、詳細パラメータに従ってサービスに対する処理結果等の画面が表示される。
【００５４】
次いで、ステップＳ２６において、サービス提供端末１６では、サービス提供が終了したか否かが判定される。例えば、利用者により、処理の終了が指示された場合や、モバイル端末装置１２が、サービス提供端末１６の通信可能範囲内から取り除かれた場合等には、ステップＳ２６において肯定的な判定がなされ、処理が終了する。一方、ステップＳ２６において否定的な判定がなされたときには、処理がステップ２４へ移行し、入力部２６からの入力待ち状態となる。引き続き、サービス提供端末１６の入力部２６から新たな入力が行われた場合には、その新たな入力に応じたサービス処理がステップＳ２５において行われる。そして、ステップＳ２６において肯定的な判定がなされるまで、入力部２６からの入力に応じたサービス処理が繰り返し行われる。
【００５５】
また、利用したサービスに対する代金は、例えばカード発行サーバ１４の端末対応テーブル２４に記憶された加入者ＩＤの情報に基づいて、加入者回線に対し課金される。この場合、例えばカード発行サーバ１４からサービス提供者２０に対して課金情報が送信され、課金業務を集中して行う管理サーバ等を使用して処理することにより、所定の一定期間の経過の後に、利用者に対して請求書が送付される。
【００５６】
あるいは、カード発行手続きの際に、可能な場合には、利用者が利用しようとするサービスに対応する代金を先払いしておき、この先払いした代金に対応する価値情報をモバイル端末装置１２の非接触ＩＣカードモジュール部２２に記憶しておくことも可能である。この場合、利用者が利用したサービスに対する代金は、非接触ＩＣカードモジュール部２２に記憶された価値情報から順次減算されることになる。
【００５７】
以上のように、固有の識別子を有するモバイル端末装置１２の本体部３２と非接触ＩＣカードの機能を備える非接触ＩＣカードモジュール部２２とを組み合わせることにより、サービスの利用時や課金時に利用者を確実に認証することができる。また、不特定多数の利用者が利用する公共の電子機器における情報の入力方法や表示方法を利用者毎にカスタマイズして、各利用者専用の入力手段や表示手段を提供することにより、利用者の利便性を大幅に向上させることができる。
【００５８】
なお、サービス提供端末１６やサービス提供者２０の数は、上記実施形態に限定されず、１つ以上いくつでもよい。また、モバイル端末装置１２の非接触ＩＣカードモジュール部２２には複数のサービス提供者からの情報を記憶してもよい。また、上記実施形態では、サービス範囲に関する詳細パラメータを非接触ＩＣカードモジュール部２２のＥＥＰＲＯＭ１０２に記憶するようにしたが、本体部３２のＥＥＰＲＯＭ６６に記憶してもよい。
【００５９】
また、上記実施形態では、カード発行手続きの時に、利用者が、サービス提供端末１６の入力部２６からモバイル端末装置１２の加入者ＩＤを入力するようにしている。これに対し、モバイル端末装置１２の本体部の記憶部に加入者ＩＤ等の固有の識別子をあらかじめ記憶しておき、カード発行手続きの時に、モバイル端末装置１２の本体部の記憶部に記憶された、モバイル端末装置１２の固有の識別子がサービス提供端末１６へ送信されるようにしてもよい。
【００６０】
【発明の効果】
以上詳細に説明した様に、本発明によれば、移動体通信端末本来の機能に加えて、非接触ＩＣカードの機能を備えているので、ＩＣカードを使用したサービスを利用する際に、モバイル端末装置の有する固有の識別子を使用して、利用者の認証を行うことができる。
【００６１】
また、本発明によれば、利用者が選択したサービス範囲に関する詳細パラメータを設定することにより、不特定多数の利用者が利用する電子機器における情報の入力方法や表示方法を利用者毎にカスタマイズすることができるため、利用者の利便性を大幅に向上させることができる。
【００６２】
なお、ＩＣカードの機密性および安全性は高いが、ＩＣカードを紛失もしくは盗難された場合、利用者が多大な損害を被る危険性がある。しかし、本発明によれば、モバイル端末装置だけを管理すればよいので、紛失の危険性も大幅に低減することができる。
【図面の簡単な説明】
【図１】本発明の一実施形態に係るＩＣカードシステムの構成概念図である。
【図２】図１におけるモバイル端末装置の本体部の内部構成を示すブロック構成図である。
【図３】図１におけるモバイル端末装置のＩＣカードモジュール部の内部構成を示すブロック構成図である。
【図４】図１のＩＣカードシステムのサービス提供端末における動作を説明するためのフローチャートである。
【符号の説明】
１０…ＩＣカードシステム、１２…モバイル端末装置、１４…カード発行サーバ、１６…サービス提供端末、１８…情報通信回線、２０…サービス提供者、２２…非接触ＩＣカードモジュール部、２４…端末対応テーブル、２６，４０…入力部、２８，４２…表示部、３０…リーダライタ部、３２…本体部、３６，７２…通信部、３８，７４…制御部、４４…ＩＣカードモジュール接続部、４６，７８…アンテナ、４８，８０…受信部、５０，８２…受信信号処理回路、５２…受話器、５４…送話器、５６，８４…送信信号処理回路、５８，８６…送信部、６０，９６…主ＣＰＵ、６２，９８…ＲＯＭ、６４，１００…ＲＡＭ、６６，１０２…ＥＥＰＲＯＭ、６８…操作部ＣＰＵ、７０…バス、７６…移動体通信端末接続部、８８…受信磁界処理回路、９０…復調回路、９２…変調回路、９４…送信磁界処理回路。
【図１】
2004133844.tif 000003
【図２】
2004133844.tif 000004
【図３】
2004133844.tif 000005
【図４】
2004133844.tif 000006